(57)【要約】【課題】仰臥した姿勢でより容易に読書をすることができる読書台を提供する。【解決手段】読書台１は、対象物としての書籍Ｂを載置する載置部２と、前記書籍Ｂの開いた頁Ｐを左右反転して鏡面３に映し出す反転部４とを備える。読書台１は、反転部４を載置部２に軸支し、当該反転部４を載置部２に対し任意の角度に調整し、その状態で固定し得るように構成されている。反転部４には、裏面側に角度補償部20が設けられており、交角αを調整し得るように構成されている。【選択図】図１
2010259521.tif 000002
【特許請求の範囲】
【請求項１】
対象物を載置する載置部と、
鏡面を有し前記対象物を二度反射して表示する反転部と
を備えた読書台であって、
前記反転部は、前記載置部に回動自在に保持されていることを特徴とする読書台。
【請求項２】
前記反転部を前記載置部に軸支する軸支部本体を備え、
前記軸支部本体の下端が、前記反転部の下端より前記載置部の奥に配置されることを特徴とする請求項１記載の読書台。
【請求項３】
前記載置部は、脚部を有することを特徴とする請求項１又は２記載の読書台。
【請求項４】
前記脚部は、長さを変更し得るように構成されていることを特徴とする請求項３記載の読書台。
【請求項５】
前記載置部の側方は、開放されていることを特徴とする請求項１〜４のいずれか１項に記載の読書台。
【請求項６】
前記載置部に載置した前記対象物を照射する照明部を前記反転部に設けたことを特徴とする請求項１〜５のいずれか１項に記載の読書台。
【請求項７】
前記反転部は、合成樹脂で構成され、
第１の鏡体と、前記第１の鏡体に対し所定角度で配置された第２の鏡体と、
前記第１の鏡体と前記第２の鏡体とを連結する連結部と、
前記連結部の角度を補償する角度補償部と
を有することを特徴とする請求項１〜６のいずれか１項に記載の読書台。
【請求項８】
前記角度補償部は、
前記第１の鏡体の背面であって、前記連結部に平行に設けられた第１のリブと、
前記第２の鏡体の背面であって、前記連結部を中心として前記第１のリブと所定間隔をあけて前記連結部に平行に設けられた第２のリブと、
前記第１のリブと前記第２のリブとの間の間隔を変化させる調節ネジと
を有することを特徴とする請求項７記載の読書台。
【発明の詳細な説明】
【技術分野】
【０００１】
本発明は、読書台に関し、特に仰臥した姿勢で読書することができる読書台に関するものである。
【背景技術】
【０００２】
従来、この種の読書台として、支柱の先端に水平に設けた透明板の上に書籍を伏せた状態で載せ、下から見上げるようにして仰臥した姿勢で読書し得るように構成された読書スタンドセットが開示されている（例えば特許文献１及び２）。
【０００３】
ところが、上記特許文献１及び２では、蛍光灯スタンドなどの照明を使用しながら読書する場合、当該蛍光灯スタンドの光が透明板に反射したり、周囲の像が透明板に映り込むことにより、ユーザが読書しづらいという問題があった。また、書籍の頁をめくる際には、透明板から一旦書籍を持ち上げて、頁を捲り、その後透明板に載置し直す必要があるので、作業が煩雑であるという問題があった。
【０００４】
これに対し、Ｕ字型に形成された積載支持部材に書籍の上下一部分を伏せて載せるように構成した読書スタンドが開示されている（例えば特許文献３）。この特許文献３によれば、透明板を用いていないので、蛍光灯スタンドなどの光によって、読書しづらくなることを防止することができる。一方、上記特許文献３では、書籍の大きさに合わせて積載支持部材を調整する必要があるので、作業が煩雑であり、書籍の大きさが制限されるという問題がある。
【０００５】
このような問題点に対し、鏡を用いた読書台が開示されている（例えば、特許文献４及び５）。特許文献４では、離間して設けられた一対の鏡体と、当該鏡体を支持する支持機構部とを備え、鏡体の一方を仰臥しているユーザの腹部の上方に、他方を目の上方に配置し、腹部付近に上向きに保持した書籍を視認することができる。
【０００６】
また、特許文献５には、二枚の鏡を繋ぎ合わせて当該鏡が直角になるように固定した読書鏡が開示されている。これにより、二枚の鏡体よって左右反転して映る左右の正像が得られ、読書をすることができる。
【先行技術文献】
【特許文献】
【０００７】
【特許文献１】特開２００７−２６８２３１号公報
【特許文献２】特開２００７−２８９６０９号公報
【特許文献３】特開２００８−１７３４２３号公報
【特許文献４】特開平９−２１５５２５号公報
【特許文献５】特開２００３−７９４９６号公報
【発明の概要】
【発明が解決しようとする課題】
【０００８】
しかしながら、上記特許文献４及び５の場合、ユーザは、書籍が鏡に対し所定の位置関係となるように鏡と書籍との両方を位置決めする必要があるので、作業が煩雑であるという問題があった。また、ユーザは、自らの手で書籍を一定の状態で保持する必要があるので、長時間、読書することが困難であるという問題があった。
【０００９】
そこで、本発明は、仰臥した姿勢でより容易に読書をすることができる読書台を提供することを目的とする。
【課題を解決するための手段】
【００１０】
本発明の請求項１に係る発明は、対象物を載置する載置部と、鏡面を有し前記対象物を二度反射して表示する反転部とを備えた読書台であって、前記反転部は、前記載置部に回動自在に保持されていることを特徴とする。
【００１１】
本発明の請求項２に係る発明は、前記反転部を前記載置部に軸支する軸支部本体を備え、前記軸支部本体の下端が、前記反転部の下端より前記載置部の奥に配置されることを特徴とする。
【００１２】
本発明の請求項３に係る発明は、前記載置部は、脚部を有することを特徴とする。
【００１３】
本発明の請求項４に係る発明は、前記脚部は、長さを変更し得るように構成されていることを特徴とする。
【００１４】
本発明の請求項５に係る発明は、前記載置部の側方は、開放されていることを特徴とする。
【００１５】
本発明の請求項６に係る発明は、前記載置部に載置した前記対象物を照射する照明部を前記反転部に設けたことを特徴とする。
【００１６】
本発明の請求項７に係る発明は、前記反転部は、合成樹脂で構成され、第１の鏡体と、前記第１の鏡体に対し所定角度で配置された第２の鏡体と、前記第１の鏡体と前記第２の鏡体とを連結する連結部と、前記連結部の角度を補償する角度補償部とを有することを特徴とする。
【００１７】
本発明の請求項８に係る発明は、前記角度補償部は、前記第１の鏡体の背面であって、前記連結部に平行に設けられた第１のリブと、前記第２の鏡体の背面であって、前記連結部を中心として前記第１のリブと所定間隔をあけて前記連結部に平行に設けられた第２のリブと、前記第１のリブと前記第２のリブとの間の間隔を変化させる調節ネジとを有することを特徴とする。
【発明の効果】
【００１８】
本発明の請求項１によれば、載置部に対し反転部の角度を適宜調節することにより、対象物の頁の全体を表示させることができると共に、対象物を手で支えずに保持することができるので、より容易に読書をすることができる。
【００１９】
本発明の請求項２によれば、対象物を反転部の下端よりも載置部の奥へ差し込むことができるので、大きい書籍でも、容易に読書することができる。
【００２０】
本発明の請求項３によれば、読書台の載置部には、脚部が設けられており、当該脚部の下辺には、凹部が形成されている。これにより、読書台は、脚部がユーザの体にフィットすることにより、ユーザが手を離した状態で読書台をユーザの体の上に保持することができる。
【００２１】
本発明の請求項４によれば、脚部は、長さ調節可能に設けられていることにより、例えば、読書台をユーザの腹、胸、又は体にかけた掛け布団の上に載置した場合でも、容易に載置部の角度を調節できるので、所望の角度に保持することができる。
【００２２】
本発明の請求項５によれば、ユーザが手を平板部上の対象物に伸ばして、容易に対象物の位置をずらしたり容易に頁を捲ることができると共に、平板部より大型の対象物などでも適宜ずらすことで利用できる。
【００２３】
本発明の請求項６によれば、暗い環境下でも対象物を明るく照らすことができるので、容易に読書することができる。
【００２４】
本発明の請求項７によれば、ガラスを用いていた従来に比べ格段と軽量化を図ることができると共に、反転部を合成樹脂で形成したことによって生じる第１の鏡体及び第２の鏡体に反射される虚像の歪みやずれを抑制することができる。
【００２５】
本発明の請求項８によれば、調節ネジを締め付けたり緩めたりすることで、交角を変化させることができるので、構成を簡単にすることができる。
【図面の簡単な説明】
【００２６】
【図１】本発明に係る読書台の全体構成を示す斜視図であり、（Ａ）正面側から見た図、（Ｂ）背面側から見た図である。
【図２】本発明に係る反転部の構成を示す横断面図である。
【図３】本発明に係る読書台の使用状態を示す斜視図であり、前脚を伸ばした状態を示す図である。
【図４】本発明に係る載置部の構成を示す底面側から見た斜視図である。
【図５】本発明に係る読書台の使用状態を示す斜視図である。
【図６】本発明に係る読書台の使用状態を示す正面側から見た斜視図である。
【図７】本発明に係る反転部に映し出される像を模式的に示す概念図であり、（Ａ）鏡面を正面から見た図、（Ｂ）鏡面の横断面図である。
【図８】本発明に係る反転部に映し出される像を模式的に示す概念図であり、交角が直角より小さい場合を示し、（Ａ）鏡面を正面から見た図、（Ｂ）鏡面の横断面図である。
【図９】本発明に係る反転部に映し出される像を模式的に示す概念図であり、交角が直角より大きい場合を示し、（Ａ）鏡面を正面から見た図、（Ｂ）鏡面の横断面図である。
【図１０】本発明に係る反転部に映し出される像を模式的に示す概念図であり、連結部近傍は鋭角で各鏡面の中央部分から先端は直角である場合を示し、（Ａ）鏡面を正面から見た図、（Ｂ）鏡面の横断面図である。
【図１１】本発明に係る反転部に映し出される像を模式的に示す概念図であり、連結部近傍は直角で各鏡面の中央部分から先端は鋭角である場合をし、（Ａ）鏡面を正面から見た図、（Ｂ）鏡面の横断面図である。
【図１２】本発明に係る反転部の変形の様子を模式的に示す図であり、（Ａ）交角が直角である場合、（Ｂ）第１のリブと第２のリブとの間隔を狭めて交角を鈍角にした場合、（Ｃ）第１のリブと第２のリブとの間隔を広げて交角を鋭角にした場合を示す図である。
【図１３】本発明に係る反転部の変形例を示す断面図である。
【図１４】本発明に係る読書台の変形例を示す斜視図である。
【発明を実施するための形態】
【００２７】
以下、図面を参照して本発明の実施形態について詳細に説明する。
（１）全体構成
図1に示す読書台１は、対象物としての書籍Ｂ（本図には図示しない）を載置する載置部２と、前記書籍Ｂの開いた頁Ｐを左右反転して鏡面３に映し出す反転部４とを備える。読書台１は、全体として、図6に示すように、載置部２上に載置した書籍Ｂの開いた頁Ｐを、反転部４に対象物を二度反射させ、反転していない第２虚像50Vを映し出すことにより、ユーザが仰臥した姿勢で読書し得る様に構成されている。尚、以下の説明において、図中Ｆを手前、Ｒを奥とする。
【００２８】
載置部２は、図1に示すように、ベニヤ板を用いて形成されており、一側表面5aに書籍Ｂを載置する略矩形状の平板部５と、当該平板部５の他側表面5bに設けられた脚部６とを有する。この平板部５の一側端には、軸支部本体７が一側表面5aに設けられている。
【００２９】
軸支部本体７は、平板部５の一側端から内側へ傾斜してなり、垂直に立設された一対の保持板10,10により挿入溝11が形成されている。保持板10,10には直交する方向に第１の貫通穴12が設けられている。また、軸支部本体７の上端には、蝶番23,23の一端が固定されている。これにより、軸支部本体７は、使用状態において、下端7aが反転部４の下端4aよりも載置部５の奥Ｒへ離れた位置に配置されている。
【００３０】
反転部４は、第１の鏡体15と、第２の鏡体16とを有する。第１の鏡体15と第２の鏡体16とは、合成樹脂で形成された板状のベース体17,17と、当該ベース体17,17の一側表面にそれぞれ鏡面３としての第１の鏡面3a（本図には図示しない）及び第２の鏡面3bが形成されており、当該第１の鏡面3a、第２の鏡面3bを内側に配置した状態で、連結部18において一体的に形成されている。連結部18は、略直角に第１の鏡体15と第２の鏡体16とを連結している。ここで、第１の鏡面3aと第２の鏡面3bとを突き合わせて形成される直線を交線Ｌと呼び、交線Ｌを中心として第１の鏡面3aと第２の鏡面3bとで形成される内角を交角αと呼ぶこととする。
【００３１】
また、反転部４には、裏面側に角度補償部20が設けられており、交角αを調整し得るように構成されている。反転部４の下部には、下妻板21が第１の鏡体15の下端と第２の鏡体16の下端とに掛架されている。当該下妻板21は、軸支部本体７に連結されている。
【００３２】
また、反転部４の上部には、上妻板22が第１の鏡体15の上端と第２の鏡体16の上端とに掛架されており、当該上妻板22に図示しない照明部が設けられている。照明部は、平板部５の一側表面5aに指向して設けられており、当該一側表面5aを照射し得るように構成されている。
【００３３】
下妻板21及び上妻板22は、連結部18の近傍に隙間Ｃを形成し、第１の鏡体15及び第２の鏡体16が連結部18を中心に交角αを変化させ得るように構成されている。
【００３４】
下妻板21は、蝶番23,23の他端が固定されている。また、下妻板21には、挿入板24が垂直に立設されている。当該挿入板24は、挿入溝11に挿入される。これにより、反転部４を載置部２に対し任意の角度に合わせた状態で、第１の貫通穴12に第１の固定ボルト25を挿入し、図示しないナットに締め付けることにより、挿入板24が挿入溝11に挟持される。これにより、反転部４は、載置部２に対し固定される。
【００３５】
このようにして、読書台１は、反転部４を載置部２に軸支し、当該反転部４を載置部２に対し任意の角度に調整し、その状態で固定し得るように構成されている。
【００３６】
角度補償部20は、第１の鏡体15の背面であって、連結部18に平行に設けられた第１のリブ30と、第２の鏡体16の背面であって、連結部18を中心として第１のリブ30と所定の間隔をあけて連結部18に平行に設けられた第２のリブ31と、第１のリブ30と第２のリブ31とを連結する調節ネジ32とを有する。調節ネジ32は、第１のリブ30及び第２のリブ31の長手方向に複数（本図では、５個）、等間隔で設けられている。
【００３７】
本実施形態の場合、角度補償部20は、図2に示すように、調節ネジ32が、第１のリブ30から第２のリブ31に向かって挿入され、第２のリブ31に形成された雌ネジに螺合し得るように構成されている。この角度補償部20は、調節ネジ32を締め付けて、第１のリブ30と第２のリブ31との間の距離を縮めることにより、交線Ｌ近傍の角度を鈍角とし得る。また、角度補償部20は、調節ネジ32を緩めて、第１のリブ30と第２のリブ31間の距離を広げることにより、交線Ｌ近傍の角度を鋭角とし得る。
【００３８】
脚部６は、図3に示すように、前脚35と後脚36とからなり、前脚35の長さを変更し得るように構成されている。本実施形態の場合、前脚35は、平板部５の他側表面5bに固定された第１の前脚35aと、第１の前脚35aに対し上下動可能に設けられた第２の前脚35bと、第２の前脚35bを第１の前脚35aに対し固定する第２の固定ボルト37,37とを有する。第１の前脚35aには、高さ方向に長い長円形穴38が形成されており、当該長円形穴38に第２の固定ボルト37,37が挿通されている。第２の固定ボルト37,37の先端は、第２の前脚35bの上部に設けられた図示しないナットに螺合されている。また、第２の前脚35bの下辺は、中央に凹部39が形成されている。
【００３９】
また、載置部２には、図4に示すように、載置した書籍Ｂの開いた頁Ｐを押える一対の保持部40,40が設けられている。保持部40は、基端40bが平板部５の他側表面5bに回動自在に保持されており、先端40aが平板部５の中央に向かって閉じるように付勢されている。本実施形態の場合、保持部40は、ステンレス製の線状部材を略Ｓ字状に曲げ成形してなり、基端40b側において、平板部５の他側表面5bに軸支されている。この一対の保持部40は、基端40b側の湾曲部41,41同士がコイルバネ42で連結されており、これにより、先端40aが平板部５の中央に向かって閉じる方向に付勢されている。この保持部40の先端には、滑り止めが設けられている。
【００４０】
（２）作用及び効果
次に、上記のように構成された読書台１の作用及び効果について説明する。まず、書籍Ｂは、頁Ｐを開いた状態で、載置部２の手前Ｆから奥Ｒへ差し込むように平板部５の一側表面5a上に載置する。このとき、書籍Ｂは、下部が軸支部本体７に当接する位置に配置され、上部が平板部５の手前Ｆ側に配置される。ここで、軸支部本体７は、平板部５の一側端から内側へ傾斜してなり、上端において蝶番23を介して反転部４を軸支している。これにより、使用状態において、軸支部本体７の下端7aが反転部４の下端4aより載置部２の奥Ｒに配置されるので、ユーザＵは、書籍Ｂの下部を反転部４の下端4aよりも載置部２の奥Ｒへ差し込むことができる。そうすると、読書台１は、載置部２の奥Ｒと手前Ｆとの間で適宜書籍Ｂを移動させることにより、大きい書籍Ｂでも、ユーザに容易に読書させることができる。
【００４１】
次いで、このように書籍Ｂが保持された読書台１を、図5に示すように、仰臥したユーザＵの胸の上に載置する。ここで、読書台１は、軸支部本体７で反転部４を載置部２に軸支する構成としたことにより、載置部２に対し反転部４の角度を適宜調節することで、書籍Ｂの頁Ｐの全体を表示させることができるので、より容易に読書をすることができる。さらに、読書台１は、反転部４の裏面側に設けられた第１のリブ30及び第２のリブ31を把持することにより、ユーザＵは載置部２に対する反転部４の角度を容易に調節することができる。
【００４２】
また、読書台１の載置部２には、脚部６が設けられており、当該脚部６の下辺には、凹部39が形成されている。これにより、読書台１は、脚部６がユーザＵの体にフィットすることにより、ユーザＵが手を離した状態で読書台１をユーザＵの体の上に保持することができるので、容易に読書をすることができる。
【００４３】
読書台１は、反転部４と平板部５との間は側方が開放されていることにより、ユーザＵが容易に手を平板部５上の書籍Ｂに伸ばして頁Ｐを捲ることができると共に、平板部５より大型の書籍Ｂなどでも適宜ずらすことで利用できるので、容易に読書をすることができる。
【００４４】
因みに、従来、鏡は歪みなどを防止するため高い精度が必要があることから、ガラスで形成されていた。そうすると、鏡は重いため、本発明のように仰臥した姿勢で用いる読書台に用いると、全体として重く、大型化する必要があるので、使い勝手が低下するという問題がある。一方、鏡を合成樹脂で構成すると、軽量化、小型化は実現できるものの、合成樹脂は変形しやすく鏡として高い精度を得ることは困難である。
【００４５】
これに対し、本発明の場合、読書台１は、反転部４が第１の鏡体15及び第２の鏡体16で構成され、第１の鏡体15及び第２の鏡体16は、合成樹脂性のベース体17,17と、当該ベース体17,17の一側面に形成した第１の鏡面3a及び第２の鏡面3bとにより形成した。これにより、読書台１は、ガラスよりも格段と軽い合成樹脂で鏡を構成することで、軽量化、小型化を図れ、ガラスの鏡で構成していた従来に比べ、格段に軽量化を図ることができる。さらに、読書台１は、角度補償部20を設けたことにより、反転部４を合成樹脂で形成したことによって生じる第１の鏡面3a及び第２の鏡面3bに反射される第２虚像50Vの歪みやずれを抑制することができる。
【００４６】
前脚35は、長さ調節可能に設けられていることにより、例えば、読書台１をユーザＵの腹、胸、又は体にかけた掛け布団の上に載置した場合でも、容易に載置部２の角度を調節できる。従って、読書台１は、ユーザＵが書籍Ｂや載置部２から手を離した状態で所望の角度で保持することができるので、より容易に読書をすることができる。
【００４７】
また、脚部６は、下辺に凹部39を設けたことにより、ユーザＵの体や布団に対するフィット感を向上でき、例えば、ユーザＵが使用中に寝返りを打った場合、ユーザＵの体の動きに追随して横方向へ転がるので、読書台１が前後方向、特に載置部２の手前Ｆ側へ倒れる危険性を抑制することができる。
【００４８】
また、読書台１は、保持部40の先端40aを平板部５の外側へ回動させて、平板部５の側方から一側表面5aへ移動させ書籍Ｂの開いた頁Ｐの上に保持部40の先端を載置することにより、書籍Ｂを所望の頁Ｐで開いた状態で保持することができる。尚、読書台１は、書籍Ｂを載置部２に載置する構成としたことにより、比較的重い書籍Ｂや、平板部５よりも大きい書籍Ｂや新聞などでも利用することができる。
【００４９】
ここで、反転部４の鏡面３には、図6に示すように、載置部２に載置した書籍Ｂの開いた頁Ｐが反射されて映り込んでいる。反転部４の鏡面３の側方部分には、載置部２に載置した書籍Ｂの開いた頁Ｐが直接反射して映り込んでいる。
【００５０】
また、反転部４の鏡面３の中央部分には、鏡面３の側方部分に映り込んだ書籍Ｂの開いた頁Ｐがさらに反射された第２虚像50Vが映り込んでいる。このように、反転部４の鏡面３の中央部分3cには、第１の鏡面3a及び第２の鏡面3bによって二度反射した第２虚像50Vが映り込むことにより、ユーザＵは、当該第２虚像50Vを視認することで書籍Ｂの開いた頁Ｐを読書することができる。
【００５１】
反転部４には、照明部が設けられていることにより、暗い環境下でも書籍Ｂの開いた頁Ｐを明るく照らすことができるので、容易に読書することができる。ここで、反転部４は、略直角に連結された第１の鏡体15と第２の鏡体16とで構成されており、平板部５を囲むように配置されるので、照明フードとしても機能する。従って、読書台１は、周囲に漏れる光量を少なくすることができるので、ユーザＵは、例えば、同室内で就寝している他者に迷惑をかけずに読書をすることができる。
【００５２】
また、照明部は、平板部５の一側表面5aに指向して設けられたことにより、照明部から照射された光は、反転部４で反射され、書籍Ｂの開いた頁Ｐに照射されるので、より効率的に照らすことができる。
【００５３】
また、反転部４に照明を設けたことにより、載置部２に対し反転部４の角度を変更しても、照明部は確実に平板部５の一側表面5aを照射することができる。従って、反転部４の角度の変更に伴い、照明部の位置調整を行う必要がないので、ユーザＵは、容易に読書をすることができる。
【００５４】
また、読書台１は、反転部４に角度補償部20を設けたことにより、第１の鏡面3a及び第２の鏡面3bに反射される第２虚像50Vの歪みやずれを抑制することができる。
【００５５】
ここで、第１の鏡面3a及び第２の鏡面3bに反射されて映り込んだ第２虚像50Vについて、図7を参照して説明する。本図に示す50は、載置部２に載置された対象物であって、水平線と当該水平線に矢印51,52,53,54,55が所定位置に5個設けられている。また、図中63は、鏡面３の下端を示す。
【００５６】
第１の鏡面3aの右側部分3sには、前記対象物50の右側第１虚像50R1が映り込んでいる。右側第１虚像50R1は、対象物50に設けられた矢印51,52,53,54,55に対応して、矢印51R1,52R1,53R1,54R1,55R1が上から下へ順に並んでいる。右側第１虚像50R1と対象物50とは、第１の鏡面3aの対称位置にある。また、第２の鏡面3bの左側部分3sには、前記対象物50の左側第１虚像50L1が映り込んでいる。左側第１虚像50L1は、対象物50に設けられた矢印51,52,53,54,55に対応して、矢印51L1,52L1,53L1,54L1,55L1が下から上へ順に並んでいる。左側第１虚像50L1と対象物50とは、第２の鏡面3bの対称位置にある。
【００５７】
ユーザＵは、第２の鏡面3bに、右側第１虚像50R1が映り込んだ左側第２虚像50L2を視認することができる。左側第２虚像50L2と右側第１虚像50R1とは、第２の鏡面3bの対称位置にあり、左側第２虚像50L2は、対象物50の右側半分である。
【００５８】
同様に、ユーザＵは、第１の鏡面3aに、左側第１虚像50L1が映り込んだ右側第２虚像50R2を視認することができる。右側第２虚像50R2と左側第１虚像50L1とは、第１の鏡面3aの対称位置にあり、右側第２虚像50R2は、対象物50の左側半分である。
【００５９】
これにより、ユーザＵは、右側第２虚像50R2と左側第２虚像50L2とで形成される第２虚像50Vにより、対象物50を視認することができる。この場合、第２虚像50Vは、対象物50に設けられた矢印51,52,53,54,55に対応して、矢印51V,52V,53V,54V,55Vが右から左へ順に並んでいる。また、反転部４の交線Ｌと第２虚像50Vとの位置関係は、ユーザＵが視認する位置によって変わる。本図中の任意の点60に対応する任意の第２虚像60Vは、交点61を中心とした点対称位置に映る。
【００６０】
本図中62Vは、対象物50としての複数の斜線からなる平面チャート62の第２虚像である。第１の鏡面3aと第２の鏡面3bが全体として歪みのない平面であって、交角αが長さ方向に渡って直角である場合、載置部２に当該平面チャート62を載置すると、斜線は曲がりがなく、交線Ｌでずれのない一致した直線として視認することができる。これにより、読書台１は、反転部４で載置部２に載置した対象物50を二度反射させることにより、ユーザＵに反転していない正転像としての第２虚像62Vを視認させることができる。
【００６１】
因みに、交角αの影響度は、「鏡のテコ」といわれるように増幅して観察され、右側の像と左側の像とがそれぞれ第１の鏡面3aと第２の鏡面3bとで各２倍に像の位置が移動するので、第２の虚像の位置のずれは４倍になる。例えば、交線Ｌから３０ｃｍの距離にある対象物50を見る場合、交角αが直角より１／１０００（ラジアン）だけ大きい鈍角では、左側第２虚像50L2及び右側第２虚像50R2が３００ｍｍ×１／１０００×４＝１．２ｍｍだけ左右像が近づき、小さい活字ならば、一文字の半分が欠落する結果となるので、判読が困難となる。
【００６２】
上記したような１／１０００（ラジアン）の傾斜は、合成樹脂でベース体17,17を成型する際の「ヒケ」や、ベース体17,17に鏡面３を固定する際に用いる接着剤の収縮などによって鏡面３の端部に生じる「反り」により、発生することが考えられる。以下に、上記した交角αの影響について、交角αが直角より小さい場合、交角αが直角より大きい場合、交線Ｌ近傍は鋭角で第１の鏡面3a及び第２の鏡面3bの中央部分から先端64（図6）は直角である場合、交線Ｌ近傍は直角で第１の鏡面3a及び第２の鏡面3bの中央部分から先端64は鋭角である場合の４つの場合について説明する。
【００６３】
まず、交角αが直角より小さい場合について、図8を参照して説明する。本図において、63aは、鏡面３の下端である。この場合、右側第１虚像50R1及び左側第１虚像50L1は、ユーザＵ側から見て、手前Ｆ（図中下）が内側に、奥Ｒ（図中上）が外側にずれている。この結果、第２虚像50Vにおいて、交線Ｌ近傍に位置する矢印53Vは、左側第２虚像50L2と右側第２虚像50R2とで一致せずに離れ、ユーザＵからは矢印53Vが二重に見える。また、載置部２に平面チャート62を設置した場合、当該平面チャート62の第２虚像62Vでは、左右の像が離れて、全体として横幅が長くなり、交線Ｌにおいて斜線の不一致が生じる。
【００６４】
次に、交角αが直角より大きい場合について、図9を参照して説明する。本図において、63bは、鏡面３の下端である。この場合、図8とは逆に、右側第１虚像50R1及び左側第１虚像50L1は、ユーザＵ側から見て、手前Ｆが外側に、奥Ｒが内側にずれている。この結果、第２虚像50Vにおいて、交線Ｌ近傍に位置する矢印53Vは、左側第２虚像50L2と右側第２虚像50R2とが近づくことにより、ユーザＵからは矢印53Vが欠落したように見える。また、載置部２に平面チャート62を設置した場合、当該平面チャート62の第２虚像62Vでは、左右の像が近づき全体として横幅が短くなり、交線Ｌにおいて図8とは逆の斜線の不一致が生じる。このように交角αが直角からずれていると、図8又は図9に示した状況が生じ、交線Ｌにおけるずれによって文字の判読に支障が生じる。
【００６５】
次に、交線Ｌ近傍は鋭角で第１の鏡面3a及び第２の鏡面3bの中央部分から先端64は直角である場合について、図10を参照して説明する。本図において、63cは、鏡面３の下端である。尚、本図では、右側第１虚像50R1及び左側第１虚像50L1を省略している。第１の鏡面3a及び第２の鏡面3bは、全体として凸状に湾曲している。この場合、直角に近い対象物50の両側部は正しく映り込むが、交線Ｌ近傍の一部分は鋭角であるため、左側第２虚像50L2と右側第２虚像50R2とが一致せずに離れ、ユーザＵからは矢印53Vが二重に見える。第１の鏡面3a及び第２の鏡面3bの凸状に湾曲した部分では、湾曲の形状に応じて、歪んだ像となる。また、載置部２に平面チャート62を設置した場合、当該平面チャート62の第２虚像62Vでは、斜線が、両側部では直線状であるものの、中央に向かって緩やかに湾曲し、交線Ｌにおいて斜線の不一致が生じる。このように交線Ｌ近傍は鋭角で第１の鏡面3a及び第２の鏡面3bの中央部分から先端64は直角であったり、逆に交線Ｌ近傍は鈍角で第１の鏡面3a及び第２の鏡面3bの中央部分から先端64は鋭角であったり、第１の鏡面3a及び第２の鏡面3bに変形が生じていると、交線Ｌにおけるずれによって文字の判読に支障が生じる。
【００６６】
次に、交線Ｌ近傍は直角で第１の鏡面3a及び第２の鏡面3bの中央部分から先端64は鋭角である場合について、図11を参照して説明する。本図において、63dは、鏡面３の下端である。尚、本図では、右側第１虚像50R1及び左側第１虚像50L1を省略している。第１の鏡面3a及び第２の鏡面3bは、全体として凹状に湾曲している。この場合、第２虚像50Vにおいて、両側部分は第１の鏡面3a及び第２の鏡面3bが先端64に向かって鋭角となっているので歪んでいるものの、交線Ｌ近傍は直角であるので左側第２虚像50L2と右側第２虚像50R2とが一致している。第１の鏡面3a及び第２の鏡面3bの凹状に湾曲した部分では、湾曲の形状に応じて、歪んだ像となる。また、載置部２に平面チャート62を設置した場合、当該平面チャート62の第２虚像62Vでは、斜線が、両側部では緩やかに湾曲しているものの、交線Ｌにおいて斜線が一致し、第２虚像50Vは連続性を有する。
【００６７】
上記構成により、図8及び図9に示した交角αに誤差がある場合に、図11に示した交線Ｌ近傍は直角で第１の鏡面3a及び第２の鏡面3bの中央部分から先端64は鋭角となるように、局部的に第１の鏡面3a及び第２の鏡面3bを変形させることにより、第２虚像50Vが歪んでいても文字を交線Ｌにおいて連続して見ることができるので、実用上は読書に対する支障を軽減することができる。このように、第１の鏡面3a及び第２の鏡面3bの全体の交角αが直角よりずれていても、交線Ｌ近傍の交角αを局所的に変形することにより、交線Ｌにおけるみかけの連続性を得ることができる。
【００６８】
以上の結果から、交線Ｌにおいて、文字の欠落を防止し、連続性を保持するには、交角αを直角に保持することが有効である。本発明に係る読書台１は、反転部４に角度補償部20を設け、交角αを補償し得るように構成した。これにより、読書台１は、第２虚像50Vの連続性を調整して保持することができるので、ユーザＵがより容易に読書をすることができる。
【００６９】
本実施形態の場合、交角αを調整するには、角度補償部20の調節ネジ32を締め付けたり緩めたりすることにより行うことができる。具体的には、図12に示すように、調節ネジ32を締め付けて第１のリブ30と第２のリブ31との間隔を狭めると、本図（Ｂ）のように交角αが広がり鈍角に変形させることができる。一方、調節ネジ32を緩めて第１のリブ30と第２のリブ31との間隔を広げると本図（Ｃ）のように交角αが狭まり、鋭角に変形させることができる。本図に示す反転部４の形状は、図10及び図11に示したものよりも複雑なＳ字状であるが、交線Ｌ近傍の交角αを局所的に直角にすることにより、交線Ｌにおける虚像の連続性を得ることができ、交線Ｌから離れた部分に複雑な歪みが生じていても、実用的な読書に対する支障を軽減することができる。
【００７０】
ここで、反転部４は、上妻板22及び下妻板21が連結部18近傍に隙間Ｃを形成したことにより、調節ネジ32によって第１のリブ30と第２のリブ31との間隔を変化させることで、交角αが容易に変化する。従って、読書台１は、容易に交角αを変化させることができるので、第２虚像50Vの連続性を容易に調整することができる。
【００７１】
また、読書台１は、角度補償部20を設けたことにより、合成樹脂で構成した第１の鏡体15及び第２の鏡体16の製造時における変形や、第１の鏡面3a及び第２の鏡面3bの接着面のムラ、使用時における自重による変形などにより、交角αに生じた角度の誤差を補償することができる。
【００７２】
また、角度補償部20は、調節ネジ32を連結部18の長さ方向に等間隔に複数設けたことにより、連結部18の全長に渡って交角αを補償することができる。さらに、調節ネジ32を連結部18の長さ方向に等間隔に複数設けたことにより、部分的に交角αを補償することもできる。
（３）変形例
本発明は、上記した実施形態に限定されるものではなく、本発明の趣旨の範囲内で適宜変更することが可能である。例えば、載置部２には、対象物50として書籍Ｂを載置する場合について説明したが、本発明はこれに限らず、文書、写真、イラスト、新聞などを載置して、ユーザＵに読ませたり鑑賞させたりしてもよい。
【００７３】
また、上記実施形態の場合、角度補償部20は、連結部18に沿って設けた場合について説明したが、本発明はこれに限らず、図13のように構成してもよい。本図に示す反転部70は、第１の鏡体71と、第２の鏡体72と、角度補償部としての調整ネジ73とを備える。第２の鏡体72は、鏡面保持部74と、第１の鏡体71の裏面側を覆うように鏡面保持部74と一体的に形成された延長部75とを有する。当該延長部75には、調節ネジ32が挿通される挿通穴76が形成されている。第１の鏡体71は、ベース体77の裏面側にネジ受け部78が設けられており、当該ネジ受け部78にタップ孔79が形成されている。第１の鏡体71と第２の鏡体72とは、連結部としてのヒンジ80で回動自在に連結されている。また、調節ネジ32は、延長部75に形成された挿通穴76に挿通され、ネジ受け部78に形成されたタップ孔79に螺合されている。このように構成された反転部70は、調節ネジ32を締め付けたり緩めたりすることで、交角αを変化させ、第２虚像50Vの連続性を調整することができる。
【００７４】
また、上記実施形態の場合、載置部２は、ベニヤ板で形成した場合について説明したが、本発明はこれに限らず、軽量であれば足り、硬質合成樹脂や、軽量の金属、例えばアルミニウムやマグネシウム合金で構成される板状部材で形成してもよい。
【００７５】
また、上記実施形態の場合、読書台１は、仰臥したユーザＵの腹や胸の上に載置する場合について説明したが、本発明はこれに限らず、横向きに寝ているユーザＵの横に配置してもよいし、また、載置部２に伸縮自在のアームの一端を取り付け、当該アームの他端を床やベッドのフレームに固定してもよい。
【００７６】
また、読書台１は、図14に示すように、角度補償部20を覆うカバー80を設けてもよい。カバー80を設けることにより意匠性を向上できると共に、当該カバー80を把持することにより、載置部２に対する反転部４の角度調整や、持ち歩き、さらにユーザが仰臥した状態での移動を容易にすることができる。
【符号の説明】
【００７７】
１    読書台
２    載置部
３    鏡面
3a    第１の鏡面
3b    第２の鏡面
４    反転部
4a    下端
６    脚部
７    軸支部本体
7a    下端
15    第１の鏡体
16    第２の鏡体
18    連結部
20    角度補償部
30    第１のリブ
31    第２のリブ
32    調節ネジ
Ｂ    書籍（対象物）
Ｒ    奥
【図１】
2010259521.tif 000003
【図２】
2010259521.tif 000004
【図３】
2010259521.tif 000005
【図４】
2010259521.tif 000006
【図５】
2010259521.tif 000007
【図６】
2010259521.tif 000008
【図７】
2010259521.tif 000009
【図８】
2010259521.tif 000010
【図９】
2010259521.tif 000011
【図１０】
2010259521.tif 000012
【図１１】
2010259521.tif 000013
【図１２】
2010259521.tif 000014
【図１３】
2010259521.tif 000015
【図１４】
2010259521.tif 000016